【手続補正書】
【提出日】平成29年2月16日(2017.2.16)
【手続補正１】
【補正対象書類名】特許請求の範囲
【補正対象項目名】全文
【補正方法】変更
【補正の内容】
【特許請求の範囲】
【請求項１】
無線通信方法であって、
ピア発見信号要求を送信しピア発見信号応答を受信するためのリソースのセットをユーザ機器（ＵＥ）において決定することと、
ピア発見信号を要求するトランスミッションをリソースの前記セットの第１のタイムスロットにおいて、前記ＵＥから、送信することであって、前記ＵＥは、前記トランスミッションがユニキャスト要求であるときに第１のパイロットシーケンスを選択し、前記トランスミッションに含める、および前記トランスミッションがマルチキャスト要求であるときに第２のパイロットシーケンスを選択し、前記トランスミッションに含めることによって、前記トランスミッションがユニキャスト要求またはマルチキャスト要求であるかどうかをインジケートし、前記第１のパイロットシーケンスは前記第２のパイロットシーケンスと異なり、前記第１のパイロットシーケンスは直交パイロットシーケンスのセットのパイロットシーケンスの第１のサブセットから選択され、前記第２のパイロットシーケンスは直交パイロットシーケンスの前記セットのシーケンスのパイロットの第２のサブセットから選択される、送信することと、
前記トランスミッションに基づいて少なくとも１つのピア発見信号応答をリソースの前記セットの第２のタイムスロットにおいて、前記ＵＥにおいて、受信することであって、前記第２のタイムスロットはピア発見信号要求を送信しピア発見信号応答を受信するための前記第１のタイムスロット後における次の利用可能なタイムスロットである、受信することと
を備える、無線通信方法。
【請求項２】
前記トランスミッションがユニキャスト要求であるときに前記少なくとも１つのピア発見信号応答を受信するための前記第２のタイムスロットにおけるリソースの前記セットのリソースのサブセットを決定することであって、リソースの前記サブセットは前記トランスミッションを送信するために利用されるリソースからのアプリオリに知られるマッピングに基づいて決定され、前記少なくとも１つのピア発見信号応答は前記トランスミッションがユニキャスト要求であるときにリソースの前記決定されたサブセットにおいて受信される、決定することをさらに備える、請求項１に記載の方法。
【請求項３】
リソースの前記セットの第３のタイムスロットにおけるトランスミッションをリッスンすることであって、前記第３のタイムスロットはピア発見信号要求を送信しピア発見信号応答を受信するために利用可能である前記第１のタイムスロット前における利用可能なタイムスロットである、リッスンすることと、
ユニキャスト要求である前記第３のタイムスロットにおいて受信されたトランスミッションを決定することと、
ユニキャスト要求のために利用される前記決定されたトランスミッションに対応する前記第３のタイムスロットにおけるリソースのサブセットを決定することと
をさらに備える、請求項１に記載の方法。
【請求項４】
前記第３のタイムスロットにおけるリソースの前記サブセットから前記第１のタイムスロットにおけるリソースの第２のサブセットへのアプリオリに知られるマッピングに基づいて前記第１のタイムスロットにおけるリソースの前記第２のサブセットを決定することと、
リソースの前記第２のサブセット内の全リソースを除くリソースの前記セットの前記第１のタイムスロットにおけるリソースの第３のサブセットを決定することと、
前記トランスミッションを送信するためにリソースの第３のサブセットからリソースの第４のサブセットをランダムに選択することであって、前記トランスミッションはリソースの前記選択された第４のサブセットにおいて送信される、選択することと
をさらに備える、請求項３に記載の方法。
【請求項５】
前記トランスミッションを送信するために前記第１のタイムスロットにおけるリソースの前記セットのリソースのサブセットをランダムに選択することであって、前記トランスミッションは、リソースの前記選択されたサブセットにおいて送信される、請求項１に記載の方法。
【請求項６】
リソースの前記セットをインジケートする情報を基地局から受信することをさらに備える、請求項１に記載の方法。
【請求項７】
トランスミッションを有するリソースの前記セット内の平均リソース数、ユニキャスト要求のために利用されるリソースの前記セット内の平均リソース数、または、マルチキャスト要求への応答のために利用されるリソースの前記セット内の平均リソース数のうちの少なくとも１つをインジケートする情報を前記基地局に送信することをさらに備え、前記受信される情報は、前記基地局に送信された前記情報に基づく、請求項６に記載の方法。
【請求項８】
無線通信方法であって、
ピア発見信号要求を送信しピア発見信号応答を受信するためのリソースのセットをユーザ機器（ＵＥ）において決定することと、
ピア発見信号を要求するトランスミッションをリソースの前記セットの第１のタイムスロットにおいて、前記ＵＥにおいて、受信することであって、前記受信されたトランスミッションは前記トランスミッションがユニキャスト要求またはマルチキャスト要求であるかどうかのインジケーションを含み、前記トランスミッションは前記トランスミッションがユニキャスト要求であるときに第１のパイロットシーケンスを含み、前記トランスミッションがマルチキャスト要求であるときに第２のパイロットシーケンスを含み、前記第１のパイロットシーケンスは前記第２のパイロットシーケンスと異なり、前記第１のパイロットシーケンスは直交パイロットシーケンスのセットのパイロットシーケンスの第１のサブセットから選択され、前記第２のパイロットシーケンスは直交パイロットシーケンスの前記セットのシーケンスのパイロットの第２のサブセットから選択される、受信することと、
前記受信されたトランスミッションに応答して、前記インジケーションに基づいて決定されたリソース上でピア発見信号応答をリソースの前記セットの第２のタイムスロットにおいて、前記ＵＥから、送信することであって、前記第２のタイムスロットはピア発見信号要求を送信しピア発見信号応答を受信するための前記第１のタイムスロット後における次の利用可能なタイムスロットである、送信することと
を備える、無線通信方法。
【請求項９】
前記トランスミッションは前記第１のタイムスロットにおけるリソースの前記セットのリソースの第１のサブセットにおいて受信され、前記方法は、
前記受信されたトランスミッションにおける前記インジケーションに基づいて前記トランスミッションがユニキャスト要求またはマルチキャスト要求であることを前記受信されたトランスミッションがインジケートするかどうかを決定することと、
前記受信されたトランスミッションがユニキャスト要求であるときに前記ピア発見信号応答を送信するための前記第２のタイムスロットにおけるリソースの前記セットのリソースの第２のサブセットを決定することであって、前記ピア発見信号応答は前記トランスミッションがユニキャスト要求であるときにはリソースの前記決定された第２のサブセットにおいて送信され、リソースの前記第２のサブセットはリソースの前記第１のサブセットからリソースの前記第２のサブセットへのアプリオリに知られるマッピングに基づいて決定される、決定することと
をさらに備える、請求項８に記載の方法。
【請求項１０】
リソースの前記セットの前記第１のタイムスロットにおけるトランスミッションをリッスンすることと、
ユニキャスト要求である前記第１のタイムスロットにおいて受信されたトランスミッションを決定することと、
ユニキャスト要求のために利用される前記決定されたトランスミッションに対応する前記第１のタイムスロットにおけるリソースのサブセットを決定することと
をさらに備える、請求項８に記載の方法。
【請求項１１】
前記第１のタイムスロットにおけるリソースの前記サブセットから前記第２のタイムスロットにおけるリソースの第２のサブセットへのアプリオリに知られるマッピングに基づいて前記第２のタイムスロットにおけるリソースの前記第２のサブセットを決定することと、
リソースの前記第２のサブセット内の全リソースを除くリソースの前記セットの前記第２のタイムスロットにおけるリソースの第３のサブセットを決定することと、
前記トランスミッションがマルチキャスト要求であるときには前記ピア発見信号応答を送信するためにリソースの前記第３のサブセットからリソースの第４のサブセットをランダムに選択することであって、前記トランスミッションは前記トランスミッションがマルチキャスト要求であるときにリソースの前記選択された第４のサブセットにおいて送信される、選択することと
をさらに備える、請求項１０に記載の方法。
【請求項１２】
前記トランスミッションがマルチキャスト要求であるときに前記ピア発見信号応答を送信するために前記第２のタイムスロットにおけるリソースの前記セットのリソースのサブセットをランダムに選択することであって、前記ピア発見信号応答は前記トランスミッションがマルチキャスト要求であるときにリソースの前記選択されたサブセットにおいて送信される、選択することをさらに備える、請求項８に記載の方法。
【請求項１３】
リソースの前記セットをインジケートする情報を基地局から受信することをさらに備える、請求項８に記載の方法。
【請求項１４】
トランスミッションを有するリソースの前記セット内の平均リソース数、ユニキャスト要求のために利用されるリソースの前記セット内の平均リソース数、または、マルチキャスト要求への応答のために利用されるリソースの前記セット内の平均リソース数のうちの少なくとも１つをインジケートする情報を前記基地局に送信することをさらに備え、前記受信される情報は、前記基地局に送信された前記情報に基づく、請求項１３に記載の方法。
【請求項１５】
無線通信のための装置であって、
ピア発見信号要求を送信しピア発見信号応答を受信するためのリソースのセットをユーザ機器（ＵＥ）において決定するための手段と、
ピア発見信号を要求するトランスミッションをリソースの前記セットの第１のタイムスロットにおいて、前記ＵＥにおいて、受信するための手段であって、前記受信されたトランスミッションは前記トランスミッションがユニキャスト要求またはマルチキャスト要求であるかどうかのインジケーションを含み、前記トランスミッションは前記トランスミッションがユニキャスト要求であるときに第１のパイロットシーケンスを含み、前記トランスミッションがマルチキャスト要求であるときに第２のパイロットシーケンスを含み、前記第１のパイロットシーケンスは前記第２のパイロットシーケンスと異なり、前記第１のパイロットシーケンスは直交パイロットシーケンスのセットのパイロットシーケンスの第１のサブセットから選択され、前記第２のパイロットシーケンスは直交パイロットシーケンスの前記セットのシーケンスのパイロットの第２のサブセットから選択される、受信するための手段と、
前記受信されたトランスミッションに応答し、前記インジケーションに基づいて決定されたリソース上でピア発見信号応答をリソースの前記セットの第２のタイムスロットにおいて、前記ＵＥから、送信するための手段であって、前記第２のタイムスロットはピア発見信号要求を送信しピア発見信号応答を受信するための前記第１のタイムスロット後における次の利用可能なタイムスロットである、送信するための手段と
を備える、無線通信のための装置。
【請求項１６】
前記トランスミッションは前記第１のタイムスロットにおけるリソースの前記セットのリソースの第１のサブセットにおいて受信され、前記装置は、
前記受信されたトランスミッションが、前記受信されたトランスミッションにおける前記インジケーションに基づいて前記トランスミッションがユニキャスト要求またはマルチキャスト要求であることをインジケートするかどうかを決定するための手段と、
前記受信されたトランスミッションがユニキャスト要求であるときに前記ピア発見信号応答を送信するために前記第２のタイムスロットにおけるリソースの前記セットの第２のサブセットを決定するための手段であって、前記ピア発見信号応答は前記トランスミッションがユニキャスト要求であるときにリソースの前記決定された第２のサブセットにおいて送信され、リソースの前記第２のサブセットはリソースの前記第１のサブセットからリソースの前記第２のサブセットへのアプリオリに知られるマッピングに基づいて決定される、手段と
をさらに備える、請求項１５に記載の装置。
【請求項１７】
リソースの前記セットの前記第１のタイムスロットにおけるトランスミッションをリッスンするための手段と、
ユニキャスト要求である前記第１のタイムスロットにおいて受信されたトランスミッションを決定するための手段と、
ユニキャスト要求のために利用される前記決定されたトランスミッションに対応する前記第１のタイムスロットにおけるリソースのサブセットを決定するための手段と
をさらに備える、請求項１５に記載の装置。
【請求項１８】
前記第１のタイムスロットにおけるリソースの前記サブセットから前記第２のタイムスロットにおけるリソースの第２のサブセットへのアプリオリに知られるマッピングに基づいて前記第２のタイムスロットにおけるリソースの前記第２のサブセットを決定するための手段と、
リソースの前記第２のサブセット内の全リソースを除くリソースの前記セットの前記第２のタイムスロットにおけるリソースの第３のサブセットを決定するための手段と、
前記トランスミッションがマルチキャスト要求であるときに前記ピア発見信号応答を送信するためにリソースの前記第３のサブセットからリソースの第４のサブセットをランダムに選択するための手段であって、前記トランスミッションは、前記トランスミッションがマルチキャスト要求であるときにはリソースの前記選択された第４のサブセットにおいて送信される手段と
をさらに備える、請求項１７に記載の装置。
【請求項１９】
前記トランスミッションがマルチキャスト要求であるときには前記ピア発見信号応答を送信するために前記第２のタイムスロットにおけるリソースの前記セットのリソースのサブセットをランダムに選択するための手段であって、前記ピア発見信号応答は前記トランスミッションがマルチキャスト要求であるときにリソースの前記選択されたサブセットにおいて送信される、手段をさらに備える、請求項１５に記載の装置。
【請求項２０】
リソースの前記セットをインジケートする情報を基地局から受信するための手段をさらに備える、請求項１５に記載の装置。
【請求項２１】
トランスミッションを有するリソースの前記セット内の平均リソース数、ユニキャスト要求のために利用されるリソースの前記セット内の平均リソース数、または、マルチキャスト要求への応答のために利用されるリソースの前記セット内の平均リソース数のうちの少なくとも１つをインジケートする情報を前記基地局に送信するための手段をさらに備え、前記受信される情報は、前記基地局に送信された前記情報に基づく、請求項２０に記載の装置。
【請求項２２】
無線通信のための装置であって、
メモリと、
前記メモリに結合され、
ピア発見信号要求を送信しピア発見信号応答を受信するためのリソースのセットをユーザ機器（ＵＥ）において決定し、
ピア発見信号を要求するトランスミッションをリソースの前記セットの第１のタイムスロットにおいて、前記ＵＥにおいて、受信し、ここにおいて、前記受信されたトランスミッションは前記トランスミッションがユニキャスト要求またはマルチキャスト要求であるかどうかのインジケーションを含み、前記トランスミッションは前記トランスミッションがユニキャスト要求であるときに第１のパイロットシーケンスを含み、前記トランスミッションがマルチキャスト要求であるときに第２のパイロットシーケンスを含み、前記第１のパイロットシーケンスは前記第２のパイロットシーケンスと異なり、前記第１のパイロットシーケンスは直交パイロットシーケンスのセットのパイロットシーケンスの第１のサブセットから選択され、前記第２のパイロットシーケンスは直交パイロットシーケンスの前記セットのシーケンスのパイロットの第２のサブセットから選択される、
前記受信されたトランスミッションに応答し、前記インジケーションに基づいて決定されたリソース上でピア発見信号応答をリソースの前記セットの第２のタイムスロットにおいて、前記ＵＥから、送信する、ここにおいて、前記第２のタイムスロットはピア発見信号要求を送信しピア発見信号応答を受信するための前記第１のタイムスロット後における次の利用可能なタイムスロットである、
ように構成された少なくとも１つのプロセッサと、
を備える、無線通信のための装置。
【請求項２３】
無線通信のためのコンピュータ実行可能なコードを記憶した非一時的なコンピュータ可読媒体であって、
ピア発見信号要求を送信しピア発見信号応答を受信するためのリソースのセットをユーザ機器（ＵＥ）において決定するためのコードと、
ピア発見信号を要求するトランスミッションをリソースの前記セットの第１のタイムスロットにおいて、前記ＵＥにおいて、受信するためのコードであって、前記受信されたトランスミッションは前記トランスミッションがユニキャスト要求またはマルチキャスト要求であるかどうかのインジケーションを含み、前記トランスミッションは前記トランスミッションがユニキャスト要求であるときに第１のパイロットシーケンスを含み、前記トランスミッションがマルチキャスト要求であるときに第２のパイロットシーケンスを含み、前記第１のパイロットシーケンスは前記第２のパイロットシーケンスと異なり、前記第１のパイロットシーケンスは直交パイロットシーケンスのセットのパイロットシーケンスの第１のサブセットから選択され、前記第２のパイロットシーケンスは直交パイロットシーケンスの前記セットのシーケンスのパイロットの第２のサブセットから選択される、受信するためのコードと、
前記受信されたトランスミッションに応答し、前記インジケーションに基づいて決定されたリソース上でピア発見信号応答をリソースの前記セットの第２のタイムスロットにおいて、前記ＵＥから、送信するためのコードであって、前記第２のタイムスロットはピア発見信号要求を送信しピア発見信号応答を受信するための前記第１のタイムスロット後における次の利用可能なタイムスロットである、送信するためのコードを備える、非一時的なコンピュータ可読媒体。